(57)【特許請求の範囲】
【請求項１】
媒体に向かって液体を噴射する液体噴射ヘッドを有し、前記媒体の搬送方向と交差する移動方向に往復移動するキャリッジと、
前記キャリッジに設けられて前記媒体に向かって光を照射可能な発光部と前記光の反射光を受光して受光量に応じた出力値を出力する受光部とを有する光学式センサーと、
前記受光部の感度を切り替える感度設定部と、
前記光学式センサーの感度測定に用いられる反射部と、
前記反射部を覆う開閉可能なカバー部と、
前記カバー部を開閉させる開閉手段と、
前記液体吐出ヘッドから前記液体の噴射を伴うメンテナンスを行うメンテナンス部と、を備え、
前記メンテナンス部は、前記媒体に向かって液体を吐出する領域でなく、かつ、前記キャリッジのホームポジション側に位置し、
前記カバー部は、前記媒体に向かって液体を吐出する領域でなく、かつ、前記ホームポジション側とは反対側に位置し、
前記開閉手段は、前記キャリッジが前記反対側に移動する過程で係合可能な被係合部と、前記カバー部を閉方向に付勢する付勢部とから成り、前記キャリッジが前記被係合部を押したときの力により前記付勢部の付勢力に抗して前記カバー部を開方向へ移動させ、
前記感度設定部は、前記キャリッジが前記光学式センサーを前記反射部と対向させる位置に配置されかつ前記開閉手段により前記カバー部が開けられた状態の下で、前記液体噴射ヘッドから前記液体の吐出を伴わずに前記発光部から照射した光が前記反射部で反射した反射光を受光した前記受光部の第１出力値を用いて前記光学式センサーの測定感度を取得し、当該測定感度が許容限界を超えたと判定すると、前記受光部の感度を切り替えることを特徴とする液体噴射装置。
【請求項２】
前記光学式センサーによる検出が可能な前記搬送方向の位置に前記媒体が配置された状態の下で前記キャリッジを前記移動方向に移動させる過程で前記発光部が照射した光の反射光を受光した前記受光部によって出力された第２出力値を用いて前記媒体の端部位置を検出する検出部を更に備えたことを特徴とする請求項１に記載の液体噴射装置。
【請求項３】
液体噴射装置の電源投入時と、前記液体噴射ヘッドにより液体噴射処理された前記媒体の数が設定値に達した時とのうち少なくとも一方の時期に、前記感度設定部による前記感度の設定を行うことを特徴とする請求項２に記載の液体噴射装置。
【請求項４】
前記感度設定部は、前記発光部から照射された光が前記媒体を支持する支持部で反射した反射光を受光した前記受光部によって出力された第３出力値を取得し、前記第１出力値と前記第３出力値とを用いて感度測定を行うことを特徴とする請求項１乃至３のいずれか一項に記載の液体噴射装置。
【発明の詳細な説明】
【技術分野】
【０００１】
本発明は、液体噴射ヘッドを備えたキャリッジに設けられた光学式センサーにより用紙等の媒体の端部位置を検出する機能を備えた液体噴射装置及び液体噴射装置におけるセンサー感度設定方法に関する。
【背景技術】
【０００２】
従来、この種の液体噴射装置としてインクジェット式プリンターが知られている。プリンターには用紙の搬送方向と交差する方向（主走査方向）に移動するとともに記録ヘッドを有するキャリッジが設けられている。印刷時にはキャリッジを移動させつつ記録ヘッド（液体噴射ヘッド）から用紙に向かってインク滴を噴射することで、用紙に画像等が印刷される（例えば特許文献１〜４等）。
【０００３】
例えば特許文献１〜３に記載のプリンターでは、キャリッジに光反射式の光学式センサー（エッジセンサー）が設けられ、キャリッジを主走査方向に移動させるときに光学式センサーにより用紙の幅方向の端部位置を検出している。詳しくは、光学式センサーの検出値と閾値とを比較し、検出値が閾値以下あるいは閾値以上に変化すると、現在の位置が用紙の端部検出位置（エッジ位置）と判断する。
【０００４】
ところで、キャリッジの移動経路の周辺には、液体噴射ヘッドがインク滴を噴射した際に発生したインクミスト及び用紙から発生した紙粉などの浮遊物が存在する。浮遊物が付着して光学式センサーが汚れると、次第に光学式センサーの受光量が低下し、その検出値が閾値以下あるいは閾値以上に変化した際の端部検出位置と実際の用紙の端部位置との間のずれ量が変化してしまう。これを解決するため、特許文献１に記載のプリンター装置では、印刷毎に毎回最適な閾値を決定し直すので、光学式センサーの汚れによる経年変化や支持台の表面状態の経年変化にも影響されず、最適な閾値を用いて高い位置精度で端部位置を検出できる。
【０００５】
また、特許文献２、３に記載のプリンターでは、支持台のリブとリブ以外の部分（溝部）とを光学式センサー（記録紙検出センサー）により検出し、それぞれの検出電圧の比又は差分に基づいて光学式センサーの検出感度を判定し、その検出感度に応じた閾値を設定する。このため、光学式センサーの検出値が閾値を横切った際の端部検出位置と実際の端部位置との位置ずれ量が一定になるので、その位置ずれ量に応じた一定の補正量で補正すれば、高い位置精度で端部位置を検出できる。
【０００６】
また、特許文献４には、キャリッジに設けられた読み取りセンサーの開口部を塞ぐための可動式のシャッターと、シャッターの開閉手段と、開閉のそれぞれの状態を維持するための維持手段とをキャリッジに搭載したプリンターが開示されている。このプリンターによれば、読み取りセンサーの使用時以外はシャッターが閉じているので、インクミスト等の浮遊物の付着によって読み取りセンサーが汚れることを回避できる。
【先行技術文献】
【特許文献】
【０００７】
【特許文献１】特開２００２−１２７５２１号公報（例えば段落［００３７］〜［００５２］、図４、図５等］）
【特許文献２】特開２００３−２６０８２９号公報（例えば段落［００５３］〜［００５９］、図５、図６等］）
【特許文献３】特開２０１０−１９４７４８号公報
【特許文献４】特開平１１−２２７１７６号公報（例えば段落［００２３］〜［００３４］、図２〜図４）
【発明の概要】
【発明が解決しようとする課題】
【０００８】
ところで、特許文献２、３では、支持台のリブの支持面（上端面）が、光学式センサーの検出感度を判定する際の反射面（基準反射面）として使用される。リブは、印刷中に用紙で覆われ、かつ用紙がリブの支持面を摺動するため、支持台上の他の部位に比べ清浄に保たれ易い。しかし、リブは液体噴射ヘッドの近傍に位置し、インクミストや紙粉が付着し易く、その付着物によりリブの支持面の反射率は変化する。また、リブの支持面は用紙の摺動により少しずつ研磨されるため、リブの支持面の反射率が変化する。このように基準反射面の反射率が変化すると、光学式センサーの検出感度の判定精度が低下し、その検出感度に応じて不適切な閾値が設定されてしまい、用紙の端部位置検出精度が低下するという問題がある。なお、特許文献４に記載の可動式のシャッターで光学式センサーを保護する構成の場合、センサーへのインクミスト及び紙粉等の付着は回避できるものの、リブの支持面等の基準反射面の汚れは回避できないので、基準反射面の汚れに起因する上記の問題は解決されない。
【０００９】
上述のように、光学式センサーの感度を比較的精度よく測定したいという要望があった。また、光学式センサーの汚れ等による劣化が進んでも、必要な感度をなるべく確保したいという要望がある。
【００１０】
本発明は、上記課題に鑑みてなされたものであり、その目的の一つは、キャリッジに設けられた光学式センサーの感度測定に用いられる反射部の反射率の変動を小さく抑え、測定感度の精度を高めることができるうえ、光学式センサーの劣化が進んだ割に必要な感度を確保できる液体噴射装置及び液体噴射装置におけるセンサー感度設定方法を提供することにある。
【課題を解決するための手段】
【００１１】
上記目的の一つを達成するために、本発明の態様の一つは、媒体に向かって液体を噴射する液体噴射ヘッドを有し、前記媒体の搬送方向と交差する移動方向に往復移動するキャリッジと、前記キャリッジに設けられて前記媒体に向かって光を照射可能な発光部と前記光の反射光を受光して受光量に応じた出力値を出力する受光部とを有する光学式センサーと、前記光学式センサーの感度測定に用いられる反射部と、前記反射部を覆う開閉可能なカバー部と、前記カバー部を開閉させる開閉駆動部と、前記キャリッジが前記光学式センサーを前記反射部と対向させる位置に配置されかつ前記開閉駆動部により前記カバー部が開けられた状態の下で、前記発光部から照射した光が前記反射部で反射した反射光を受光した前記受光部の出力値を用いて前記光学式センサーの測定感度を取得し、当該測定感度が許容限界を超えたと判定すると、前記受光部の感度を切り替える感度設定部とを備えたことを要旨とする。
【００１２】
上記構成によれば、カバー部は反射部が使用されないときは反射部を覆う閉状態にあり、液体のミストや媒体の擦れなどにより発生した媒体粉等の浮遊物から反射部が保護される。このため、反射部への浮遊物の付着が回避される。カバー部によって保護された反射部は、媒体の摺動によって研磨される心配もない。よって、反射部の反射率は、変動しにくく比較的安定した値に保持される。受光部の感度測定が行われるときは、それまで反射部を覆う閉状態にあったカバー部が開閉駆動部によって開けられる。感度設定部は、キャリッジが光学式センサーを反射部と対向させる位置に配置されかつ開閉駆動部によりカバー部が開けられた状態の下で、発光部から照射した光が反射部で反射した反射光を受光した受光部の出力値を用いて測定感度を取得し、その取得した測定感度が許容限界を超えたと判定すると、受光部の感度を切り替える。ここで、カバー部で保護された反射部の反射率は比較的安定するので、反射部で反射した光を受光した受光部の出力値を用いた測定感度は、光学式センサーの汚れ等に起因する劣化の程度を適切に反映したものとなる。よって、キャリッジに設けられた光学式センサーの感度測定に用いられる反射部の反射率の変動を小さく抑え、測定感度の精度を高めることができるうえ、光学式センサーの劣化が進んだ割に必要な感度を確保できる。
【００１３】
本発明の態様の一つである液体噴射装置では、前記開閉駆動部は、前記キャリッジが移動過程で係合可能な被係合部と、前記カバー部を閉方向に付勢する付勢部とを備え、前記キャリッジが前記被係合部を押したときの力を動力として前記付勢部の付勢力に抗して前記カバー部を開方向へ移動させるように構成されていることが好ましい。
【００１４】
上記構成によれば、キャリッジが移動過程で被係合部を押して被係合部が変位する際の力を動力として、カバー部が付勢部の付勢力に抗して開けられる。よって、動力源を有する開閉駆動部を採用しなくても、キャリッジを設定位置に移動させて行われる感度設定時にカバーを開けることができる。このため、動力源の追加を回避できるうえ、カバーの開閉時に動力源を制御する制御部の処理負担の増加も回避できる。
【００１５】
本発明の態様の一つである液体噴射装置では、前記開閉駆動部は、前記カバー部を開閉させる動力を出力する動力源と、前記動力源を制御して前記カバー部を開閉させる制御部とを備えていることが好ましい。
【００１６】
上記構成によれば、感度設定時には、制御部が動力源を制御してカバー部が開けられる。また、反射部へ照射した光の反射光を受光部に受光させて出力値を取得した後、制御部は動力源を制御してカバー部を閉じる。制御部が動力源を制御してカバー部を開閉させる構成なので、キャリッジが被係合部を押した力でカバー部を開く機械式の構成に比べ、反射部の配置位置の自由度が高まり、例えば液体噴射装置の小型化が可能になる。
【００１７】
本発明の態様の一つである液体噴射装置では、前記出力値を第１出力値とし、前記光学式センサーによる検出が可能な前記搬送方向の位置に前記媒体が配置された状態の下で前記キャリッジを前記移動方向に移動させる過程で前記発光部が照射した光の反射光を受光した前記受光部によって出力された第２出力値を用いて前記媒体の端部位置を検出する検出部を更に備えていることが好ましい。
【００１８】
上記構成によれば、受光部が適切な感度に設定された状態において、検出部は、光学式センサーによる検出が可能な搬送方向の位置に媒体が配置された状態の下でキャリッジを移動方向に移動させる過程で発光部が媒体側に向かって照射した光の反射光を受光した受光部によって出力された第２出力値を用いて媒体の端部位置を検出する。このため、光学式センサーの汚れ等に起因する劣化の割に、媒体の端部位置検出精度を比較的高く維持できる。
【００１９】
本発明の態様の一つである液体噴射装置では、液体噴射装置の電源投入時と、前記液体噴射ヘッドにより液体噴射処理された前記媒体の数が設定値に達した時とのうち少なくとも一方の時期に、前記感度設定部による前記感度の設定を行うことが好ましい。
【００２０】
上記構成によれば、液体噴射装置の電源投入時と液体噴射ヘッドにより液体噴射処理数が行われたる媒体の数が設定値に達した時とのうち少なくとも一方の時期に、キャリッジを設定位置に移動させ、感度設定部による感度の設定が行われる。よって、感度設定のためにキャリッジが設定位置に移動するのは、光学式センサーがある程度汚れた適切な時期に限られ、液体噴射処理のスループット低下の原因になるキャリッジの設定位置への不要な移動を回避しつつ、光学式センサーの受光部を適切な感度に設定できる。
【００２１】
本発明の態様の一つである液体噴射装置では、前記反射部は、前記液体噴射ヘッドから液体が噴射される液体噴射領域の外側に配置されていることが好ましい。
上記構成によれば、反射部は、液体噴射領域の外側に配置されているので、媒体への液体噴射が行われるときに発生したミストや媒体粉などの浮遊物がカバー部に付着しにくい。例えばカバー部の開閉時にカバー部から付着物の一部が落下して反射部を汚すことを回避できる。また、開閉駆動部が機械式の構成の場合、キャリッジが媒体への液体噴射処理のために液体噴射領域を移動する際に被係合部と係合してカバー部を開けてしまう事態を回避できる。
【００２２】
本発明の態様の一つである液体噴射装置では、前記出力値を第１出力値とし、前記感度設定部は、前記発光部から照射された光が前記媒体を支持する支持部で反射した反射光を受光した前記受光部によって出力された第３出力値を取得し、前記第１出力値と前記第３出力値とを用いて感度測定を行うことが好ましい。
【００２３】
上記構成によれば、第１出力値と第３出力値とを用いて感度測定を行うので、比較的精度の高い測定感度を取得できる。よって、受光部の感度を適切な時期に適切な感度に切り替えることができる。
【００２４】
本発明の態様の一つは、液体噴射装置におけるセンサー感度設定方法であって、液体噴射ヘッドを有するキャリッジに設けられた光学式センサーの感度測定に用いられる反射部を開閉可能な状態で覆うカバー部を開けるカバー開ステップと、前記光学式センサーの発光部と受光部とが前記反射部と対向する位置に前記キャリッジを配置した状態で、前記発光部から照射された光が前記反射部で反射した反射光を受光した受光部の出力値を用いて感度測定を行う感度測定ステップと、前記受光部を前記感度測定ステップにおける測定感度に応じた感度に設定する感度設定ステップとを備えたことを要旨とする。上記方法によれば、液体噴射装置に係る発明と同様の作用効果を得ることができる。
【図面の簡単な説明】
【００２５】
【図１】第１実施形態におけるプリンターの斜視図。
【図２】プリンターの構成を示す斜視図。
【図３】（ａ）はプリンターの電気的構成を示し、（ｂ）は制御部の機能構成を示すそれぞれブロック図。
【図４】キャリッジ及び支持台などを示す模式平面図。
【図５】キャリッジの底面図。
【図６】支持台及びカバーユニットを示す一部破断の模式正面図。
【図７】紙幅センサーを示す模式正面図。
【図８】紙幅センサー及び感度設定回路を示す回路図。
【図９】（ａ），（ｂ）はカバーユニットの開閉動作を示す斜視図。
【図１０】（ａ），（ｂ）はカバーユニットの開閉動作を示す模式正断面図。
【図１１】カバーユニットにおけるカバーの周辺部分を示す模式側断面図。
【図１２】（ａ）は紙幅センサーの移動方向における位置と出力電圧との関係を示すグラフ、（ｂ）〜（ｄ）は用紙と反射光との関係を示す模式平面図。
【図１３】光電流と出力電圧との関係を示すとともに感度切替えを説明するグラフ。
【図１４】用紙端部位置検出処理ルーチンを示すフローチャート。
【図１５】感度設定処理ルーチンを示すフローチャート。
【図１６】第２実施形態における支持台及びカバーユニットを示す一部破断の模式正面図。
【図１７】（ａ），（ｂ）はカバーユニットの開閉動作を示す模式側断面図。
【図１８】（ａ），（ｂ）は変形例におけるカバーユニットの開閉動作を示す模式正面図。
【発明を実施するための形態】
【００２６】
（第１実施形態）
以下、本発明の液体噴射装置をインクジェット式プリンターに具体化した第１実施形態を、図１〜図１５を用いて説明する。
【００２７】
図１に示すように、液体噴射装置の一例であるインクジェット式プリンター（以下、単に「プリンター１１」と称す。）には、本体１２の背面側に媒体の一例としての用紙Ｐ（シート）を給送する自動給紙装置１３（Auto Sheet Feeder）が装備されている。自動給紙装置１３は、給紙トレイ１４、ホッパー１５及びエッジガイド１６を有する用紙ガイド１７を備え、用紙ガイド１７にセットされた用紙を１枚ずつ本体１２内に給送する。左右一対のエッジガイド１６は、給紙トレイ１４の幅方向中央位置を中心として用紙Ｐを幅方向にガイドする。
【００２８】
また、本体１２内にはキャリッジ１８がその移動経路に沿った移動方向Ｘ（主走査方向）に往復動可能な状態に設けられ、このキャリッジ１８の下部には液体噴射ヘッド１９が取着されている。プリンター１１は、キャリッジ１８を移動方向Ｘに移動させる過程で液体噴射ヘッド１９から用紙Ｐの表面にインク滴を噴射する記録動作と、用紙Ｐを移動方向Ｘと交差する搬送方向Ｙ（副走査方向）に要求された搬送量で搬送する紙送り動作とを略交互に繰り返し、与えられた印刷データに基づく画像や文書などを用紙Ｐに印刷する。印刷後の用紙Ｐは本体１２の前側下部に開口する排紙口１２Ａから排出される。
【００２９】
また、本体１２の上面端部には、操作パネル２０が設けられている。操作パネル２０は、液晶表示パネル等からなる表示部２１と、操作スイッチ２２が設けられている。操作スイッチ２２には、電源スイッチ２３、印刷開始スイッチ２４、キャンセルスイッチ２５等が設けられている。なお、表示部２１をタッチパネルとしてもよい。
【００３０】
次にプリンター１１の内部構成について説明する。図２に示すように、プリンター１１は、上側と前側が開口する略四角箱状の本体フレーム３０を有し、この本体フレーム３０の図２における左右の側壁間に架設されたガイド軸３１には、キャリッジ１８が主走査方向Ｘに往復移動可能な状態で取り付けられている。本体フレーム３０の背板内面に取着された一対のプーリー３３には無端状のタイミングベルト３４が巻き掛けられており、キャリッジ１８はタイミングベルト３４の一部に固定されている。図２における右側のプーリー３３にはキャリッジモーター３５の駆動軸（出力軸）が連結されており、キャリッジモーター３５が正逆転駆動されてタイミングベルト３４が正転・逆転することにより、キャリッジ１８は移動方向Ｘ（主走査方向）に往復移動する。
【００３１】
キャリッジ１８の上部には、各色のインク（例えば黒（Ｋ）、シアン（Ｃ）、マゼンタ（Ｍ）、イエロー（Ｙ）の４色）がそれぞれ収容された複数個（例えば４個）のインクカートリッジ３７が装填されている。各インクカートリッジ３７から供給されたインクは、液体噴射ヘッド１９にインク色と同数列（本例では４列）形成された対応するノズル列ＮＡ（図５参照）の各ノズルからそれぞれ噴射される。また、キャリッジ１８の移動経路の下方位置には、液体噴射ヘッド１９と用紙Ｐとの間隔（ギャップ）を規定する支持部の一例としての支持台３８が主走査方向Ｘに延びるように設けられている。なお、液体噴射ヘッド１９が噴射可能なインク色は４色に限らず、１色、３色、５〜８色でもよい。
【００３２】
また、キャリッジ１８の背面側には、キャリッジ１８の移動量に比例する数のパルスを出力するリニアエンコーダー３９がガイド軸３１に沿って延びるように設けられている。プリンター１１ではリニアエンコーダー３９から出力されるパルス信号に基づいてキャリッジ１８の位置制御及び速度制御が行われる。
【００３３】
また、本体フレーム３０の図２における右側下部には、搬送モーター４１が配設されている。搬送モーター４１の動力により不図示の給紙ローラーが駆動されることにより給紙トレイ１４（図１参照）にセットされた用紙Ｐが１枚ずつ給送される。搬送方向Ｙに支持台３８を挟んだその上流側と下流側には、それぞれ搬送ローラー対４３と排出ローラー対４４とが配置されている。各ローラー対４３，４４は、搬送モーター４１の動力で回転する駆動ローラー４３ａ，４４ａと、駆動ローラー４３ａの回転に連れ回りする従動ローラー４３ｂ，４４ｂとからなる。搬送モーター４１が駆動されることで、用紙Ｐは両ローラー対４３，４４に挟持（ニップ）された状態で搬送方向Ｙ（副走査方向）に搬送される。
【００３４】
図２においてキャリッジ１８の移動経路上の一端位置（図２では右端位置）が、キャリッジ１８が非印刷時に待機するホーム位置となっている。ホーム位置に配置されたキャリッジ１８の直下には、液体噴射ヘッド１９に対してクリーニング等のメンテナンスを行うメンテナンス装置４５が配設されている。本実施形態では、搬送モーター４１がメンテナンス装置４５の動力源ともなっている。また、キャリッジ１８には、用紙Ｐの幅方向（移動方向Ｘ）における両側の端部（エッジ）を検出する光学式センサーの一例としての紙幅センサー４８が設けられている。
【００３５】
図５はキャリッジの底面を示す。キャリッジ１８の底面略中央位置に取り付けられた液体噴射ヘッド１９のノズル形成面１９ａには、キャリッジ１８がプリンター１１に組み付けられた状態における搬送方向Ｙに多数個のノズルＮｚが一定ピッチで配列されてなるノズル列ＮＡが移動方向Ｘに所定の間隔をおいて複数列配列されている。ノズル列ＮＡを構成する各ノズルＮｚからは、対応するインクカートリッジ３７から供給されるインクが噴射される。また、紙幅センサー４８は、キャリッジ１８の底面において液体噴射ヘッド１９よりも搬送方向Ｙ上流側の位置に取り付けられている。
【００３６】
次にプリンター１１の電気的構成を図３に基づいて説明する。図３に示すプリンター１１は、その全体的な制御を司る制御部５０を備える。制御部５０は、例えばコンピューター（マイクロコンピューター）により構成され、ＣＰＵ５１（中央処理装置）、ＲＯＭ５２、ＲＡＭ５３及び不揮発性メモリー５４を備える。ＲＯＭ５２には、各種のプログラムが記憶されている。不揮発性メモリー５４には、一部のプログラム及び各種のプログラムを実行する際の設定データなどが記憶され、電源をオフしても記憶内容が保持される。ＣＰＵ５１は、ＲＯＭ５２及び不揮発性メモリー５４に記憶されたプログラムを実行することで、プリンター１１の印刷動作などを制御する。なお、ＡＳＩＣ（Application Specific IC（特定用途向けＩＣ））を追加し、液体噴射ヘッド１９の駆動制御に必要なデータ処理などをＡＳＩＣに行わせてもよい。
【００３７】
制御部５０は、印刷データに基づいて駆動回路５５を介して液体噴射ヘッド１９を駆動制御し、液体噴射ヘッド１９からインクを噴射させる。また、制御部５０は、駆動回路５６を介してキャリッジモーター３５を駆動制御し、キャリッジ１８を移動方向Ｘに往復移動させる。さらに制御部５０は、駆動回路５７を介して搬送モーター４１を駆動制御し、用紙Ｐを搬送方向Ｙに搬送させる。また、制御部５０は、リニアエンコーダー３９から入力するパルス信号に基づいてホーム位置を原点とするキャリッジ１８の移動方向Ｘにおける位置（キャリッジ位置）を検出する。詳しくは、制御部５０は、キャリッジ１８がホーム位置にあるときを原点として、リニアエンコーダー３９から入力するパルス信号のパルスエッジの数を計数するカウンターを備え、キャリッジ１８の往動時にカウンターの計数値をインクリメント、キャリッジ１８の復動時に計数値をデクリメントする。このため、カウンターの計数値は、キャリッジ１８の移動方向Ｘにおける位置（キャリッジ位置）を示す。
【００３８】
また、制御部５０に接続された紙幅センサー４８は、光を支持台３８側（鉛直方向下側）へ照射する発光部５８と、発光部５８から照射された光の反射光を受光する受光部５９とを備える。制御部５０は、発光部５８の発光を制御するとともに、受光部５９からその受光量に応じた出力電圧を入力する。また、制御部５０は受光部５９の感度を設定する感度設定回路６０と接続されており、感度設定回路６０における感度設定値の変更により受光部５９の感度を調整する。
【００３９】
図３（ｂ）は、ＣＰＵ５１がＲＯＭ５２又は不揮発性メモリー５４から読み出したプログラムを実行することにより機能する機能構成を示す。制御部５０は、ＣＰＵ５１がプログラムを実行することにより機能する機能部として、端部検出処理部６１及び感度設定部の一例としての感度設定処理部６２を備える。
【００４０】
端部検出処理部６１は、受光部５９から入力した出力電圧に基づいて用紙Ｐの幅方向における端部の位置を検出する。すなわち、端部検出処理部６１は、紙幅センサー４８の出力電圧と閾値とを比較し、出力電圧が閾値を横切ったことをもって用紙Ｐの端部を検出し、その検出時の紙幅センサー４８の位置を用紙Ｐの端部位置（エッジ位置）として取得する。詳しくは、リニアエンコーダー３９のパルス信号に基づき把握されるキャリッジ１８の移動方向Ｘにおける位置（キャリッジ位置）と、そのキャリッジ位置と紙幅センサー４８の位置との移動方向Ｘにおける既知の距離とに基づいて紙幅センサー４８の位置を把握する。端部検出処理部６１は、紙幅センサー４８の出力電圧が閾値を横切ったことをもって用紙Ｐの端部を検出すると、キャリッジ１８の位置を計数するカウンターの計数値と前記既知の距離（カウンター換算値）とに基づき、そのときの紙幅センサー４８の位置、つまり用紙Ｐの端部検出位置Ｘｄ（エッジ検出位置）を取得する。そして、端部検出処理部６１は、端部検出位置Ｘｄを補正量ｄｘで補正して端部位置Ｘｅ（エッジ位置）を取得する（Ｘｅ＝Ｘｄ＋ｄｘ）。
【００４１】
感度設定処理部６２は、感度設定回路６０に設定値に応じた制御信号を印加し、受光部５９の感度を設定する。感度設定処理部６２は、紙幅センサー４８がインクミストや紙粉等の浮遊物の付着などに起因して汚れ、端位置検出精度が許容範囲を超えて低下したと判断した場合に、感度設定回路６０の設定値を変更して受光部５９の感度を高く変更する。
【００４２】
図４は支持台及びキャリッジを示す。支持台３８には、搬送方向Ｙの上流側に位置する上流側支持面７１と、上流側支持面７１に対して搬送方向Ｙの下流側に位置する下流側支持面７２とが形成されている。上流側支持面７１には、鉛直方向上側（図４の紙面手前側）に突出し、かつ搬送方向Ｙに延びる上流側リブ７３が形成されている。また、下流側支持面７２には、鉛直方向上側に突出し、かつ搬送方向Ｙに延びる下流側リブ７４が形成されている。上流側リブ７３と下流側リブ７４とは、搬送される用紙Ｐを鉛直方向下側から支持し、図２に示す用紙Ｐは、上流側リブ７３と下流側リブ７４に沿って搬送される。
【００４３】
図４に示すように、上流側支持面７１において上流側リブ７３以外の部分には、上流側リブ７３の上端面よりも低い底面を有する溝部７１ａが形成されている。また、下流側支持面７２において下流側リブ７４以外の部分には、下流側リブ７４の上端面よりも低い底面を有する溝部７２ａが形成されている。
【００４４】
図４では、キャリッジ１８が位置する右端位置がホーム位置となっている。また、キャリッジ１８の移動方向Ｘにおいて液体噴射ヘッド１９が印刷のためインク滴を噴射可能な最大エリアである液体噴射領域ＰＡ（印刷領域）は、図４に二点鎖線で示すように下流側支持面７２上に位置する。
【００４５】
上流側支持面７１において液体噴射領域ＰＡよりも移動方向Ｘの外側（反ホーム位置側）となる位置には基準反射面７５が形成されている。基準反射面７５は、発光部５８から照射されて反射した反射光を受光した受光部５９の出力電圧の値から紙幅センサー４８の汚れ量を調べる際の基準となる反射面であり、液体噴射ヘッド１９のノズル形成面１９ａと平行な平坦な鏡面に仕上げられている。基準反射面７５の面方向は発光部５８の照射方向（鉛直下方向）と直交している。
【００４６】
上流側支持面７１の反ホーム位置側の端部には、基準反射面７５を覆うカバーユニット８０が設けられている。カバーユニット８０は、基準反射面７５を含む所定エリアを包囲する状態に組み付けられたカバー本体８１と、カバー本体８１の上面側に開口する四角状の窓部８１ａを開閉するカバー部８２（シャッター部）と、カバー部８２と連結されてカバー部８２を開閉方向に移動させる操作に用いられる被係合部の一例としてのレバー部８３とを備える。カバー部８２は、基準反射面７５を覆う閉位置と、基準反射面７５を窓部８１ａから露出させる開位置とにスライド可能となっている。紙幅センサー４８の汚れの程度（汚れ度）を調べる場合、基準反射面７５の反射率が変動する要因を排除する必要がある。そこで、基準反射面７５をカバーユニット８０で覆い、紙幅センサー４８の汚れ度を調べる使用時のみカバー部８２を開けて基準反射面７５を露出させるようにしている。本実施形態では、基準反射面７５で反射した光を受光した紙幅センサー４８の出力電圧（基準面電圧）を基に求めた紙幅センサー４８の汚れ度を示す判定値が、予め決められた感度切替条件を満たす度に、紙幅センサー４８の感度を段階的に高くするように切り替える。ここで、汚れ度は、紙幅センサー４８の汚れに起因する劣化の程度（検出感度の低下の程度）を示すものであり、汚れ度の測定は検出感度の測定に相当する。
【００４７】
図４に示すカバーユニット８０において鉛直方向上側へ突出するレバー部８３は、反ホーム位置へ向かって移動するキャリッジ１８が、紙幅センサー４８が基準反射面７５に対向可能な設定位置に到達する手前でキャリッジ１８と係合可能な位置に配置されている。このため、ホーム位置側から移動を開始したキャリッジ１８は、反ホーム位置側の設定位置に到達する手前でレバー部８３に係合し、レバー部８３をカバー部８２の開方向へ押し込む。そして、キャリッジ１８が設定位置に停止すると、このレバー部８３の押し込み動作によりカバー部８２が閉位置から開位置へスライドし、紙幅センサー４８の下方にはカバー部８２が開いた窓部８１ａを介して露出した基準反射面７５が対向して位置する。カバーユニット８０の構成の詳細については後述する。
【００４８】
基準反射面７５は、支持台３８において液体噴射領域ＰＡ（印刷領域）が位置する下流側支持面７２よりも搬送方向Ｙの上流側に位置する上流側支持面７１の端部に配置されているので、液体噴射領域ＰＡの搬送方向と移動方向Ｘ共に外側に位置する。このため、基準反射面７５を覆うカバーユニット８０の表面へのインクミストの付着が比較的抑えられる。このため、カバー部８２を開いたときにインクミストの堆積乾燥物や紙粉の堆積物などの小片が窓部８１ａを介して落下し、基準反射面７５を汚損する事態が回避される。
【００４９】
図４に示すように、リニアエンコーダー３９は、移動方向Ｘに多数のスリット（図示省略）が一定ピッチで形成されたリニアスケール３９ａと、リニアスケール３９ａに沿って移動できるようにキャリッジ１８に取り付けられたセンサー３９ｂとを備えている。センサー３９ｂは発光部と受光部とを備え、発光部から照射されてリニアスケール３９ａのスリットを通過した光を受光した受光部はキャリッジ１８の移動距離に比例するパルス数のパルス信号を出力する。
【００５０】
図１に示す一対のエッジガイド１６により幅方向に位置決めされた用紙Ｐは、その幅中心が搬送経路の幅方向中央位置を通るように給送される。そのため、図４の支持台３８上に搬送されたときの用紙Ｐの幅方向における両側の端部の位置（エッジ位置）は、用紙Ｐの幅ごとに定まる。本実施形態では、規定サイズの用紙Ｐについてはその幅方向両端位置が、溝部７１ａに対向して位置するように、各上流側リブ７３の移動方向Ｘにおける位置が設定されている。このため、支持台３８上に搬送された用紙Ｐの幅方向の両端部はいつも溝部７１ａに対向して位置する。
【００５１】
図６に示すように、溝部７１ａの底面は、比較的細かな波状の面に形成されており、発光部５８から溝部７１ａへ略垂直に照射された光が乱反射し易くなっている。このため、溝部７１ａで反射した光の受光部５９による受光量が少なくなり、その出力電圧が相対的に大きくなる。また、用紙Ｐからの反射光を受光した受光部５９の出力電圧は相対的に小さくなる。本実施形態では、発光部５８から照射された光の反射面が、溝部７１ａであるときの受光部５９の出力電圧と、その反射面が用紙Ｐであるときの受光部５９の出力電圧との間に閾値を設定している。そして、受光部５９の出力電圧が閾値を横切ることをもって用紙Ｐの幅方向の端部が検出される。そして、その用紙Ｐの端部が検出された時点の紙幅センサー４８の位置から用紙Ｐの幅方向における端部位置（エッジ位置）が検出される。さらに端部検出処理部６１（図３参照）は、用紙Ｐの端部位置を補正量で補正して用紙Ｐの端部位置を取得する。このように用紙Ｐの端部位置の検出処理は、端部検出処理部６１により行われる。
【００５２】
図７に示すように、キャリッジ１８において支持台３８と対向する側（下面側）に固定された紙幅センサー４８は、発光部５８と受光部５９とが隣合う比較的接近した状態で取り付けられている。発光部５８と受光部５９の各光軸間の距離は非常に短く、発光部５８から鉛直下方向に照射された光は、その光照射対象物の反射面ＲＰで反射し、ほぼ鉛直上方向へ反射した反射光が受光部５９によって受光される。図７では照射光と反射光との各光路を、模式的に斜めに延びる一点鎖線で示しているが、実際の照射光と反射光は集光レンズにより集光された略鉛直方向に延びる円柱状の光として近似できる。なお、光照射対象物の反射面ＲＰには、用紙Ｐの表面、溝部７１ａ、基準反射面７５などがある。
【００５３】
次に感度設定回路６０の回路構成を図８に基づいて説明する。図８に示すように、発光部５８である発光ダイオードＬＤのカソードは接地され、発光ダイオードＬＤのアノードは抵抗Ｒ１の一端部と接続され、抵抗Ｒ１の他端部には電源電圧Ｖｃｃが印加される。
【００５４】
受光部５９であるフォトトランジスターＰＴが受光すると、フォトトランジスターＰＴのコレクターとエミッター間には光電流Ｉｃが流れ、フォトトランジスターＰＴのコレクターと接続された端子部７７には、出力電圧Ｖｏが検出される。
【００５５】
フォトトランジスターＰＴのエミッターは接地され、フォトトランジスターＰＴのコレクターは抵抗Ｒ２の一端部と接続され、抵抗Ｒ２の他端部には電源電圧Ｖｃｃが印加される。また、フォトトランジスターＰＴのコレクターは抵抗Ｒ３の一端部と接続され、抵抗Ｒ３の他端部にはトランジスターＴ１のコレクターが接続されている。
【００５６】
トランジスターＴ１のエミッターには電源電圧Ｖｃｃが印加され、トランジスターＴ１のベースは抵抗Ｒ４の一端部と接続され、抵抗Ｒ４の他端部には電源電圧Ｖｃｃが印加される。
【００５７】
端子部７８はトランジスターＴ１のベースと接続されている。ＣＰＵ５１は、端子部７８を介してトランジスターＴ１のベースに制御信号を印加し、トランジスターＴ１のコレクターとエミッター間を導通状態と非導通状態との間でスイッチング動作させる。トランジスターＴ１のコレクターとエミッター間が導通状態であると、フォトトランジスターＰＴのコレクターには、抵抗Ｒ２と抵抗Ｒ３とを介して電流が流れる。トランジスターＴ１のコレクターとエミッター間が非導通状態であると、フォトトランジスターＰＴのコレクターには、抵抗Ｒ２のみを介して電流が流れる。
【００５８】
感度設定回路６０は、抵抗Ｒ２，Ｒ３，Ｒ４と、トランジスターＴ１を含んで構成される。図３に示す感度設定処理部６２（ＣＰＵ５１）が端子部７８を介して感度設定回路６０内のトランジスターＴ１のベースに設定値に応じた制御信号を印加することにより、フォトトランジスターＰＴからなる受光部５９の感度を設定する。制御信号としては例えばＰＷＭ（Pulse Width Modulation）信号を使用し、感度設定処理部６２は、制御部５０内の不図示のＰＷＭ発生回路に出力させるＰＷＭ信号の周期に対するパルス幅の比であるディーティ比を設定値の変更により切り替え、受光部５９の感度を複数段階（例えば３段階）に切り替える。また、本実施形態では、発光部５８の発光量を設定する発光量設定回路（図示せず）も備えられ、受光部５９の感度が最終段の最も高い感度に切り替えられた後、その感度でも許容限界に達すると、次に発光部５８の発光量を段階的に増やすことにより、用紙Ｐの端部を検出しうる汚れ度の範囲を広くしている。なお、発光部５８の発光量と受光部５９の感度の各切り替え段数は、適宜設定でき、例えば２段切替えあるいは４段以上の複数段切替えとしてもよい。さらに感度設定回路６０内の抵抗の抵抗値を連続的に変化させられる構成とし、受光部５９の感度を連続的に変化させてもよい。
【００５９】
図９に示すように、カバー本体８１は、支持台３８の下流側支持面７２と対向する底部が開放された扁平な略四角箱形状を有する。カバー部８２とレバー部８３は、カバー本体８１の内側をキャリッジの移動方向Ｘ（図９では左右方向）に沿ってスライド可能な断面Ｌ字状のスライダー８４の移動方向Ｘ両端部にそれぞれ形成されている。
【００６０】
図９（ａ）に示す閉位置にカバー部８２が配置されたときのレバー部８３は、カバー本体８１の移動方向Ｘに窓部８１ａと反対側となる端部に凹設された四角状の切欠部８１ｂに挿入された状態にガイドされる。レバー部８３はキャリッジ１８の移動経路上に位置し、キャリッジ１８と係合可能な高さまで上方に突出している。図９（ａ）に示す閉位置にあるレバー部８３をキャリッジ１８が図９における左方向へ押し込んでスライダー８４を移動させることで、カバー部８２は図９（ｂ）に示す開位置に配置される。このカバー部８２の開位置では窓部８１ａが開き、基準反射面７５（図４、図６、図１０を参照）が露出する。
【００６１】
図１０及び図１１に示すように、カバー本体８１の上壁部裏面側には、一対のガイドレール部８５が移動方向Ｘに沿って延びるように形成されている。スライダー８４は一対のガイドレール部８５に案内されて移動方向Ｘへのスライドが可能となっている。また、図１０に示すように、カバー本体８１の上壁部裏面とスライダー８４の下面からそれぞれ下方へ突出した一対の掛止部８６，８７には、付勢部の一例としてのコイルばね８８の両端部がそれぞれ掛止され、このコイルばね８８によりスライダー８４はカバー部８２を閉じる方向へ付勢されている。図１１に示すように、コイルばね８８は、窓部８１ａと対応する領域を回避しその送方向Ｙ両側に２本設けられている。このため、キャリッジ１８が図１０（ｂ）に示す設定位置からホーム位置側に退避すると、コイルばね８８の付勢力によりスライダー８４は同図の右方向へ移動し、カバー部８２が閉じられる。
【００６２】
次に紙幅センサー４８の汚れ度が高くなったときに行われる感度切替えについて図１２を用いて説明する。図１２（ａ）は、用紙Ｐが支持台３８（詳しくは上流側支持面７１）を覆う位置まで搬送された状態で、キャリッジ１８が移動方向Ｘに移動して紙幅センサー４８によって用紙Ｐの端部を検出する場合の例を示す。図１２（ａ）に示すグラフは、紙幅センサー４８の移動方向Ｘにおける位置ｘ（以下、「センサー位置ｘ」ともいう。）と、受光部５９の出力電圧Ｖｏとの関係を示す。このグラフにおいて、実線で示すグラフ線は、紙幅センサー４８が汚れる前の初期段階におけるセンサー位置ｘと出力電圧Ｖｏとの関係を示し、破線で示すグラフ線は、紙幅センサー４８が初期状態から汚れ、その感度が感度許容限界に達するほどの汚れ度になった時点におけるセンサー位置ｘと出力電圧Ｖｏとの関係を示す。
【００６３】
また、図１２（ｂ）〜図１２（ｄ）は、用紙Ｐの端部位置検出を行う際に受光部５９に受光される前に溝部７１ａ又は用紙Ｐで反射した円柱状の反射光ＲＬの様子を示したものである。これらの図では反射光ＲＬのうち、溝部７１ａで反射した光量の少ない暗部領域を濃灰色で示し、用紙Ｐの表面で反射した光量の多い明部領域を白色で示している。ここで、図１２（ｂ）は、初期の第１感度で紙幅センサー４８が汚れる前の初期状態のときを示し、図１２（ｃ）は、紙幅センサー４８の汚れ度が第１感度の許容限界に達したときを示す。また、図１２（ｄ）は、第１感度から次の第２感度に切り替えたときの状態を示す。なお、図１２（ｂ）〜（ｄ）では、用紙Ｐの端部は端部検出位置を示し、図１２（ａ）に示す実際の用紙Ｐの端部より少し内側へずれて描いている。
【００６４】
図１２（ｂ）において用紙Ｐの外側を検出対象としているとき（反射光ＲＬが濃灰色のとき）、溝部７１ａによって反射された光量の少ない反射光ＲＬを受光した受光部５９からは高い出力電圧ＶＨ１が出力される。そして、反射光ＲＬのうち用紙Ｐによって反射された領域が半分を占めることになると、出力電圧Ｖｏが出力電圧ＶＨ１の１／２の閾値ＶＳ１を下回ることになって用紙Ｐの第１端部（図１２（ｂ）における左側端）が検出される。また、用紙Ｐを検出対象としている区間では、用紙Ｐの表面で反射した光量の多い反射光ＲＬを受光した受光部５９から閾値ＶＳ１よりも十分小さな出力電圧ＶＰ（用紙電圧）が出力される。そして、反射光ＲＬのうち用紙Ｐによって反射された領域が半分を占めることになると、出力電圧Ｖｏが閾値ＶＳ１を上回ることになって用紙Ｐの第２端部（図１２（ｂ）における右端部）が検出される。
【００６５】
その後、紙幅センサー４８の汚れ度が高くなると、反射光ＲＬの光量が相対的に少なくなる。このため、図１２（ｃ）に示すように、反射光ＲＬのうち用紙Ｐによって反射された領域が半分を占めることになっても、出力電圧Ｖｏが閾値ＶＳ２を下回らず、８割近く占めることになってはじめて、図１２（ａ）における破線で示すように出力電圧Ｖｏが閾値ＶＳ２を下回ることになる。このため、紙幅センサー４８の汚れが進むと、用紙Ｐの端部を検出した位置が用紙Ｐの幅方向（つまり移動方向Ｘ）の内側へシフトする。このシフトした量が紙幅センサー４８の汚れ度の違いによる検出誤差となる。
【００６６】
用紙Ｐの端部を検出した端部検出位置と、用紙Ｐの実際の端部の位置との間には位置ずれ量が存在する。そして、位置ずれ量は、紙幅センサー４８の汚れ度に応じて変化する。本実施形態では、用紙Ｐの端部検出位置をこの位置ずれ量分に相当する補正量ｄｘで補正する。不揮発性メモリー５４には、出力電圧ＶＰＷと補正量ｄｘとの対応関係が用紙種別に設定された補正テーブルデータ（図示せず）が記憶されている。
【００６７】
図１２（ｂ）に示す汚れ度の低い初期状態では、用紙Ｐの端部検出位置を、出力電圧ＶＰＷ１を基に補正テーブルデータを参照して取得される補正量ｄｘ１０（又はｄｘ１１）で補正し、用紙Ｐの第１端部（又は第２端部）の正確な位置を取得する。また、図１２（ｃ）に示す汚れ度の高い状態では、用紙Ｐの端部検出位置を、出力電圧ＶＰＷ２を基に補正テーブルデータを参照して取得される補正量ｄｘ２０（又はｄｘ２１）だけ補正し、用紙Ｐの第１端部（又は第２端部）の正確な位置を取得する。なお、本例では、位置ｘは、ホーム位置から反ホーム位置（カバーユニット８０側）へ向かう方向がプラス方向になるように位置座標が設定されている。このため、ホーム位置側の第１端部の検出位置を補正する場合の補正量ｄｘ１０，ｄｘ２０は負の値をとり、反ホーム位置側の第２端部の検出位置を補正する場合の補正量ｄｘ１１，ｄｘ２１は正の値をとる。
【００６８】
一方、感度設定処理は、プリンター１１の電源投入時、あるいは累積印刷枚数が設定枚数に達した時などの所定時期にキャリッジ１８をホーム位置から設定位置まで移動させ、発光部５８からの照射光を基準反射面７５で反射させた反射光を受光した受光部５９によって出力される出力電圧ＶＰＷを取得する。また、このときのキャリッジ１８の移動過程で紙幅センサー４８が溝部７１ａと対向する位置において、発光部５８からの照射光を溝部７１ａで反射させた反射光を受光した受光部５９によって出力される出力電圧ＶＨを取得する。そして、感度設定処理部６２は、出力電圧ＶＨと出力電圧ＶＰＷとの差ΔＶ（＝ＶＨ−ＶＰＷ）を感度判定値として求め、この感度判定値ΔＶが設定値ｂ未満となり感度切替条件を満たしたことをもって、汚れにより低下した測定感度が許容限界に達したと判断する。そして、感度設定処理部６２は、ΔＶ＜ｂが成立して測定感度が許容限界に達したと判断すると、感度設定回路６０の設定値を変更して受光部５９の感度を一段高い感度に切り替える。なお、本実施形態では、出力電圧ＶＰＷが第１出力値の一例に相当し、出力電圧ＶＨが第３出力値の一例に相当する。また、ΔＶが測定感度の一例に相当する。
【００６９】
図１２（ｂ）に示すように汚れ度の低い初期状態及び汚れ度が感度の許容限界に達していないうちは、図１２（ａ）に示すように、出力電圧ＶＨ１と出力電圧ＶＰＷ１との差で示される感度判定値ΔＶ１が設定値ｂより大きい（ΔＶ１＞ｂ）ので、受光部５９の感度は切り替えられない。しかし、図１２（ｃ）に示すように汚れ度が感度の許容限界に達すると、図１２（ａ）に示すように、出力電圧ＶＨ２と出力電圧ＶＰＷ２との差で示される感度判定値ΔＶ２が設定値ｂよりも小さくなる（ΔＶ２＜ｂ）ので、受光部５９の感度が一段高い感度に切り替えられる。その結果、図１２（ｄ）に示すように、初期状態（図１２（ｂ））と同様に、反射光ＲＬのうち用紙Ｐによって反射された領域が半分を占めた時点で、用紙Ｐの端部が検出されるようになる。
【００７０】
図１３に示すグラフは、図８におけるトランジスターＴ１のベースに制御信号を印加して受光部５９の感度を切り替える感度切替処理を説明するものである。このグラフの横軸は光電流Ｉｃ、縦軸が出力電圧Ｖｏである。図１３において実線で示す出力電圧ＶＨは、発光部５８からの照射光が溝部７１ａで反射した反射光を受光した受光部５９によって出力される出力電圧である。また、一点鎖線で示す出力電圧ＶＰは、発光部５８からの照射光が用紙Ｐで反射した反射光を受光した受光部５９によって出力される出力電圧である。さらに、破線で示す閾値ＶＳは、出力電圧ＶＨに所定の定数ａ（但し０＜ａ＜１）を乗算した値として設定される。本実施形態では、定数ａを例えば「０．５」としている。二点鎖線で示す出力電圧ＶＰＷは、図４、図６及び図１０等に示す基準反射面７５に対して発光部５８から光を照射し、基準反射面７５で反射した反射光を受光した受光部５９によって出力される出力電圧である。
【００７１】
紙幅センサー４８にインクミストや紙粉等が付着して汚れ度が高くなるに連れて光電流Ｉｃは減少する。そして、図１３に示すグラフから分かるように、光電流Ｉｃが減少するに連れて、溝部７１ａを検出した出力電圧ＶＨ、及び基準反射面７５を検出した出力電圧ＶＰＷは所定の傾き（勾配）で徐々に大きくなる。このとき、出力電圧ＶＨの傾きよりも、出力電圧ＶＰＷの傾きの方が大きな傾き角（急勾配）になるので、汚れ度が増すに連れて、感度判定値ΔＶ（＝ＶＨ−ＶＰＷ）は徐々に小さくなる。受光部５９の感度の許容限界を決める設定値ｂは、用紙Ｐを検出した出力電圧ＶＰ（用紙電圧）がほぼ一定の値から上昇し始めて閾値ＶＳよりも十分小さな所定の値に達した時点の差ΔＶに等しい値に設定されている。
【００７２】
図１３のグラフにおいて縦方向に延びる破線は受光部５９の感度を切り替える感度切替位置を示す。急激に増加した出力電圧ＶＰが閾値ＶＳ以上の値をとる領域では、常に出力電圧ＶＰが閾値ＶＳ以上の値をとるため、用紙Ｐの端部を検出できなくなる。このため、急激に増加し始めた出力電圧ＶＰが閾値ＶＳよりも十分小さな値となる光電流Ｉｃの範囲では受光部５９を同じ感度で使用し、その範囲よりも光電流Ｉｃが小さくなると、受光部５９の感度を一段高い側に切り替えることで、用紙Ｐの端部を検出できるようにしている。感度判定値ΔＶ（＝ＶＨ−ＶＰＷ）が設定値ｂよりも小さくなると（ΔＶ＜ｂ）、紙幅センサー４８の受光部５９の感度を一段高い側に切り替える。このため、出力電圧ＶＰが閾値ＶＳよりも十分小さな値をとる感度の範囲で、紙幅センサー４８を使用できる。
【００７３】
ここで、１回目の感度切替えが行われるまでの光電流Ｉｃの範囲Ｂ１で使用される感度が、初期に設定されている第１感度、１回目の感度切替えから２回目の感度切替えが行われるまでの範囲Ｂ２で使用される感度が第２感度、さらに２回目の感度切替えから３回目の感度切替えが行われるまでの範囲Ｂ３で使用される感度が第３感度となっている。光電流の範囲Ｂ２における最小の光電流Ｉｃは、光電流の範囲Ｂ１における最小の光電流Ｉｃよりも小さい。さらに光電流の範囲Ｂ３における最小の光電流Ｉｃは、光電流の範囲Ｂ２における最小の光電流Ｉｃよりも小さい。
【００７４】
そして、このように感度切替えが行われることで、紙幅センサー４８の汚れ度が高くなって受光部５９の光電流Ｉｃが低下しても、用紙Ｐを検出する出力電圧ＶＰが閾値ＶＳよりも十分小さな値となる光電流Ｉｃの範囲（つまり汚れ度の範囲）を、光電流Ｉｃが小さくなる側（つまり汚れ度の大きくなる側）へ広げることができる。このため、受光部５９から出力される出力電圧ＶＰと閾値ＶＳとを比較し、用紙Ｐの端部を検出しうる範囲を広げることができる。なお、本実施形態では、受光部５９の感度が最終の第３感度のときに、感度判定値ΔＶが設定値ｂよりも小さくなると（ΔＶ＜ｂ）、制御部５０は、発光量設定回路（図示せず）の設定値を変更して発光部５８の発光量を一段多くなる側に切り替える。このように受光部５９の複数段階の感度切替えを先に行い、感度切替えを全て終了した後に発光部５８の発光量を切り替える手順を踏むのは、発光部５８の発光量を多くすることによる消費電力の増加を極力避けるためである。
【００７５】
次に、プリンター１１の作用を説明する。用紙Ｐの端部の位置を検出する用紙端部位置検出処理を、図１４及び図１５に基づいて説明する。
制御部５０は、図１４にフローチャートで示す用紙端部位置検出処理ルーチン及びそのサブルーチンに相当する図１５に示す感度設定処理ルーチンのプログラムを実行する。プリンター１１を購入後初めて電源を投入した初期状態では、受光部５９の感度は第１感度にある。第１感度は相対的に低めの感度であるため、受光部５９の感度が高過ぎることに起因する誤検出が抑制される。
【００７６】
ステップＳ１では、感度設定処理を行う。すなわち、制御部５０内の感度設定処理部６２は、紙幅センサー４８の感度を設定する。本実施形態では、例えばユーザーが電源スイッチ２３を操作してプリンター１１の電源が投入された時点、及びプリンター１１の起動中に累積印刷枚数が設定枚数（設定値）に達した時点に、感度設定処理部６２は感度設定処理を行う。この感度設定処理の詳細は後述する。
【００７７】
次のステップＳ２では、紙幅センサー４８が上流側支持面７１に対向する位置になるようにキャリッジ１８を移動する。詳しくは、制御部５０は、キャリッジモーター３５を駆動して、紙幅センサー４８が上流側支持面７１の溝部７１ａに対向する位置になるようにキャリッジ１８を移動する。なお、このときのキャリッジ１８の移動は、ステップＳ１における感度設定処理の際のキャリッジ１８の移動と兼用してもよい。
【００７８】
ステップＳ３では、上流側支持面７１の溝部７１ａからの反射光による紙幅センサー４８の出力電圧ＶＨを取得する。
ステップＳ４では、閾値ＶＳを設定する。すなわち、閾値ＶＳを、ＶＳ＝ａ・ＶＨに設定する。本実施形態では一例としてａ＝０．５を採用しているが、定数ａは、０＜ａ＜１の範囲内の適宜な値を採用できる。
【００７９】
次のステップＳ５では、上流側支持面７１を覆う位置まで用紙Ｐを搬送するとともにキャリッジ１８を移動させる。制御部５０は、例えば平面視において用紙Ｐの先端が紙幅センサー４８の移動経路を横切ったタイミングで、キャリッジモーター３５の駆動を開始し、キャリッジ１８をホーム位置から反ホーム位置に向かって移動させる。このとき、キャリッジ１８は、紙幅センサー４８が用紙Ｐの幅方向両端を通過するように移動する。
【００８０】
ステップＳ６では、紙幅センサー４８の受光部５９から出力された出力電圧Ｖｏを取得する。すなわち、キャリッジ１８の移動中において紙幅センサー４８の出力電圧Ｖｏを逐次取得する。
【００８１】
次のステップＳ７では、出力電圧Ｖｏが閾値ＶＳを横切ったか否かを判定する。つまり、端部検出処理部６１は、閾値ＶＳよりも大きかった出力電圧Ｖｏが閾値ＶＳ未満になったか、又は閾値ＶＳよりも小さかった出力電圧Ｖｏが閾値ＶＳを超えたか否かを判断する。出力電圧Ｖｏが閾値ＶＳを横切っていなかった場合は、ステップＳ５に戻り、キャリッジ１８の移動を継続する。そして、キャリッジ１８を移動させながら、ステップＳ７で肯定判定となるまで、所定のサイクル時間（例えば１０マイクロ秒〜１００ミリ秒の範囲内の所定時間）毎にステップＳ５及びＳ６の処理を行う。そして、ステップＳ７において、出力電圧Ｖｏが閾値ＶＳを横切ったと判定すると、ステップＳ８に進む。なお、ステップＳ５における用紙の搬送は、用紙Ｐが上流側支持面７１を覆う所定位置に達したら停止される。
【００８２】
ステップＳ８では、用紙Ｐの端部検出位置Ｘｄを取得する。本実施形態では、出力電圧ＶＰが閾値ＶＳを横切ったときのカウンターの計数値から把握されるキャリッジ１８の位置と、キャリッジ１８の位置と紙幅センサー４８の取付位置までの既知の距離とを用いて紙幅センサー４８の位置、つまり用紙Ｐの端部検出位置Ｘｄを算出する。
【００８３】
ステップＳ９では、端部検出位置Ｘｄを補正量ｄｘで補正して端部位置Ｘｅを取得する（Ｘｅ＝Ｘｄ＋ｄｘ）。端部検出処理部６１は、プリンター１１の電源投入時など所定時期に、例えば感度設定処理（Ｓ１）と兼用のキャリッジ移動処理として、あるいは感度設定処理とは別のキャリッジ移動処理として、キャリッジ１８を設定位置まで移動させ、発光部５８からの照射光を基準反射面７５で反射させた反射光を受光した受光部５９の出力電圧ＶＰＷを取得している。そして、端部検出処理部６１は、補正テーブルデータを参照して出力電圧ＶＰＷに対応する第１端部と第２端部の各補正量ｄｘ１，ｄｘ２を不揮発性メモリー５４の所定記憶領域に書き込んでいる。端部検出処理部６１は、不揮発性メモリー５４の所定記憶領域から、用紙Ｐの第１端部と第２端部のうちそのとき検出した端部に対応する補正量ｄｘを読み出し、端部検出位置Ｘｄをその補正量ｄｘで補正して用紙Ｐの端部位置Ｘｅを取得する。なお、ステップＳ９で第１端部の端部位置Ｘｅが取得されると、その後、ステップＳ５〜Ｓ９の処理を第２端部についても同様に行い、ステップＳ９において第２端部の端部位置Ｘｅが取得される。
【００８４】
こうして紙幅センサー４８の汚れ度が高くなって受光部５９の受光量が低減し、用紙Ｐの端部検出位置Ｘｄと用紙Ｐの実際の端部位置との幅方向の位置ずれ量が変化しても、そのときの汚れ度から決まる紙幅センサー４８の感度に応じた補正量ｄｘによる補正が施される。この結果、用紙Ｐの端部位置Ｘｅを比較的正確に検出できる。
【００８５】
次にステップＳ１の感度設定処理ルーチンの詳細を説明する。この感度設定処理は、上流側支持面７１が用紙Ｐに覆われていない状態で行われる。
まずステップＳ１１では、紙幅センサー４８が上流側支持面７１に対向する位置になるようにキャリッジを移動する。すなわち、制御部５０は、キャリッジモーター３５を駆動し、キャリッジ１８を例えばホーム位置から反ホーム位置へ向かって移動させる。このキャリッジ１８の移動過程において制御部５０は紙幅センサー４８を作動させる。
【００８６】
ステップＳ１２では、上流側支持面７１の溝部７１ａからの反射光による紙幅センサー４８の出力電圧ＶＨを取得する。例えばキャリッジ１８の移動中に紙幅センサー４８が溝部７１ａに対向する位置にあるときの出力電圧ＶＨを取得する。例えばキャリッジ１８の異なる位置で複数個の出力電圧ＶＨを取得し、その平均値を出力電圧ＶＨとしてもよい。もちろん、紙幅センサー４８が溝部７１ａに対向する位置でキャリッジ１８を停止させた状態で出力電圧ＶＨを取得してもよい。
【００８７】
次のステップＳ１３では、キャリッジ１８を設定位置へ移動させる。例えばステップＳ１１でキャリッジ１８をホーム位置から反ホーム位置へ向かって移動させる過程で、出力電圧ＶＨの取得（Ｓ１２）を終えると、そのままキャリッジ１８の移動を継続し、キャリッジ１８を設定位置まで移動させる。
【００８８】
ステップＳ１４では、基準反射面７５からの反射光による紙幅センサー４８の出力電圧ＶＰＷを取得する。キャリッジ１８は設定位置に到達する手前でカバーユニット８０のレバー部８３と係合してこれを押し込んでカバー部８２を開くため、キャリッジ１８が設定位置に到達して停止したときには、カバー部８２が開いた状態にあって紙幅センサー４８がカバー本体８１の窓部８１ａを介して基準反射面７５と対向する状態にある。感度設定処理部６２は、キャリッジ１８が設定位置に停止すると、紙幅センサー４８の出力電圧ＶＰＷを取得する。
【００８９】
ステップＳ１５では、感度判定値ＶＨ−ＶＰＷを計算する。つまり、感度判定値ΔＶ（＝ＶＨ−ＶＰＷ）を計算する。
次のステップＳ１６では、紙幅センサー４８の劣化判定（汚れ判定）を行う。詳しくは、感度設定処理部６２は、出力電圧ＶＨと出力電圧ＶＰＷとの差分で示される感度判定値ΔＶ（＝ＶＨ−ＶＰＷ）が設定値ｂ未満（ΔＶ＜ｂ）であるか否かを判断する。ΔＶ＜ｂが不成立であって、紙幅センサー４８の感度が、感度切替えが必要な程度に低下していなければ、紙幅センサー４８の感度を切り替えることなく当該ルーチンを終了する。一方、ΔＶ＜ｂが成立し、紙幅センサー４８の感度が、感度切替えが必要な程度に低下していると判定すると、ステップＳ１７に進む。
【００９０】
ステップＳ１７では、紙幅センサー４８の感度を切り替える。すなわち、感度設定処理部６２は、感度設定回路６０の設定値を変更し、感度設定回路６０へ出力する制御信号（ＰＷＭ信号）を変更後の設定値に応じたデューティ比に変更することで、紙幅センサー４８の受光部５９の感度を現状の感度より一段高い感度に切り替える。こうして図１３に示すように、感度判定値ΔＶ（＝ＶＨ−ＶＰＷ）が設定値ｂ未満（ΔＶ＜ｂ）になる度に、紙幅センサー４８の感度が一段高い感度に切替えられる。
【００９１】
例えば紙幅センサー４８の感度の切替えが適切に行われないと、出力電圧Ｖｏが閾値ＶＳを横切らなくなって、用紙Ｐの端部を検出できなくなる。図１３のグラフにおいて細い破線で示した出力電圧ＶＴは、仮に基準反射面がカバーで保護されておらず、紙粉等が付着した基準反射面を検出した出力電圧を示す。この場合、感度判定値ΔＶ（＝ＶＨ−ＶＴ）は、１回目の感度切替え位置まで光電流Ｉｃが低下しても、設定値ｂより小さくならないので、紙幅センサーの感度の切替えが行われない。これに対して、本実施形態では、基準反射面７５がカバーユニット８０に覆われてインクミスト及び紙粉等から保護されるので、光電流Ｉｃが感度切替え位置に達した時点で、感度判定値ΔＶ（＝ＶＨ−ＶＰＷ）が設定値ｂ未満になる。この結果、紙幅センサー４８の感度を汚れが進んだ適切な時期に切り替えることができる。
【００９２】
以上詳述したように、本実施形態では、以下に示す効果を得ることができる。
（１）基準反射面７５をカバーユニット８０で覆うことによりインクミスト及び紙粉等の浮遊物から保護し、基準反射面７５を汚れにくくした。このため、基準反射面７５の汚れを効果的に回避でき、基準反射面７５をいつも清浄な状態に保持できる。つまり、基準反射面７５の反射率が付着物によって変化することがない。従って、基準反射面７５からの反射光を受光した受光部５９の出力電圧ＶＰＷと出力電圧ＶＨとの差で示される感度判定値ΔＶは、紙幅センサー４８の汚れにより低下した感度を比較的正確に反映させたものになる。このため、紙幅センサー４８の汚れが進んで感度が許容下界を超えた時点で、紙幅センサー４８を適切な感度に切り替えることができる。よって、用紙Ｐの端部位置を比較的精度よく検出できる。例えば基準反射面の汚れが原因で紙幅センサー４８の感度が切り替わらず、用紙Ｐの端部を検出できなくなる事態を極力回避できる。
【００９３】
（２）溝部７１ａで反射した反射光を受光した受光部５９の出力電圧ＶＨと、カバー部８２によって保護されている基準反射面７５で反射した反射光を受光した受光部５９の出力電圧ＶＰＷとの差で示される感度判定値ΔＶ（＝ＶＨ−ＶＰＷ）が設定値ｂ未満になったことを感度切替え条件として、紙幅センサー４８の感度を切り替える。よって、紙幅センサー４８の感度をその汚れ度に応じた適切な時期に切り替えることができる。
【００９４】
（３）キャリッジ１８がレバー部８３を押すことによりその押し込んだ力を動力としてカバー部８２が開き、レバー部８３を押さなくなると、コイルばね８８の付勢力によりカバー部８２が閉じる機械式の開閉駆動部を採用したので、電動モーター等の動力源を設ける必要がない。よって、部品点数が多くなることを回避できるうえ、制御部５０が動力源を制御するときの処理負担の増加も回避できる。
【００９５】
（４）液体噴射領域ＰＡの外側に基準反射面７５及びカバーユニット８０を配置したので、カバーユニット８０の上面に浮遊物が堆積しにくい。特にキャリッジ１８の移動経路においてメンテナンス装置４５と反対側となる反ホーム位置側の端部に基準反射面７５及びカバーユニット８０を配置したので、液体噴射ヘッド１９のメンテナンス時に発生するインクミストも堆積しにくい。例えばカバーユニット８０の上面に浮遊物が堆積すると、カバー部８２を開けたときに堆積物の一部がカバーユニット８０内に落下して基準反射面７５を汚損する虞があるが、この種の基準反射面７５の汚損を回避できる。よって、基準反射面を液体噴射領域ＰＡ内又は上流側支持面７１における液体噴射領域ＰＡの上流側近傍位置に配置した構成に比べ、基準反射面７５が汚損しにくく、紙幅センサー４８の汚れ度に応じたより適切な時期に受光部５９の感度切替えを実施できる。
【００９６】
（５）プリンター１１の電源投入の度、及び累積印刷枚数が設定枚数（設定値）に達する度に、キャリッジ１８を設定位置に移動させて感度設定処理を行うので、紙幅センサー４８の感度を汚れ度に応じた適切な時期に切り替えることができる。例えば感度設定処理が長期間に亘り実施されず、紙幅センサー４８が不適切な感度で使用され続ける事態を回避できる。また、感度設定処理が頻繁に実施され、感度設定処理の終了を待つまで印刷を開始できなくなる頻度も少なく済む。
【００９７】
（第２実施形態）
次に第２実施形態を図１６及び図１７に基づいて説明する。本実施形態のカバーユニット９０は電動式である。用紙端部位置検出処理は前記第１実施形態と同様である。図１６に示すように、カバーユニット９０が保護する基準反射面７５は、キャリッジ１８が印刷中の位置、つまり液体噴射ヘッド１９が液体噴射領域ＰＡと対向する位置にあるときに、紙幅センサー４８と対向する位置に配置されている。詳しくは、基準反射面７５及びこれを覆うカバーユニット９０は、上流側支持面７１において一対の上流側リブ７３に挟まれた位置に設けられている。基準反射面７５は、上流側リブ７３よりも高さの低い四角台錘形状の台部７６の平坦な上端面を鏡面に仕上げることで形成されている。カバーユニット９０は溝部７１ａから垂直に立設してその上部が開放された四角箱状のカバー本体９１を有し、カバー本体９１の上端部に形成された一対のガイドレール９２には、四角板状のカバー９３が所定方向にスライド可能に案内された状態で取り付けられている。なお、カバーユニット９０は、その上端が上流側リブ７３の上端面よりも低く、上流側リブ７３に支持される用紙Ｐがカバーユニット９０に当たらない高さに設定されている。
【００９８】
カバーユニット９０はキャリッジ１８が印刷中に位置する移動範囲内にあり、例えば第１実施形態におけるカバーユニット８０を採用すると、印刷中にキャリッジ１８がレバー部を押してカバー部を開けてしまうので、これを防止するためカバー９３の開閉動作を電動式としている。図１７は、電動式のカバーユニット９０の一例の構成を示す。
【００９９】
図１７に示すように、カバー９３は、その裏面（図１７における下面）にその開閉方向（スライド方向）に沿って延びる状態に固定されたラック９４と、ラック９４と噛合するピニオン９５とを備えたラック・アンド・ピニオン機構により開閉駆動される。ピニオン９５は、支持台３８における台部７６の近傍位置に形成された連通孔３８ａ内に配設された歯車９６と噛合し、さらに歯車９６は支持台３８の下側に配置された電動モーター９７の出力軸に固定された駆動歯車９８と噛合している。このため、カバー９３が図１７（ａ）に示す閉位置にある状態で電動モーター９７が正転駆動されると、歯車９６，９８を介して伝達された動力によりピニオン９５が正転してピニオン９５と噛合するラック９４に同図の右方向へ移動させる力が伝達され、カバー９３はガイドレール９２に沿って右方向へスライドする。この結果、カバー９３が閉位置から図１７（ｂ）に示す開位置へ移動し、基準反射面７５が、その直上に位置する発光部５８からの光を反射しうる状態に露出する。また、カバー９３が図１７（ｂ）に示す開位置にある状態で電動モーター９７が逆転駆動されると、カバー９３はガイドレール９２に沿って同図の左方向へスライドし、図１７（ａ）に示す閉位置に配置される。
【０１００】
例えばＣＰＵ５１は、キャリッジ１８が基準反射面７５と対向する設定位置に移動して停止したこと、あるいは設定位置の所定距離手前の所定位置に達したことを、カウンターの計数値から把握すると、電動モーター９７を正転駆動させてカバー９３を開く。そして、ＣＰＵ５１は、基準反射面７５で反射された反射光を受光した受光部５９の出力電圧ＶＰＷを取得すると、電動モーター９７を逆転駆動させてカバー９３を閉じる。
【０１０１】
この第２実施形態によれば、さらに以下の効果が得られる。
（６）電動式のカバーユニット９０なので、キャリッジ１８が印刷中に移動する位置にあるときに紙幅センサー４８と対向する位置に基準反射面７５を配置できる。例えば印刷中にカバー９３を開けてキャリッジ１８が印刷のため移動する途中で出力電圧ＶＰＷを取得できる。この場合、出力電圧ＶＰＷの取得のみを目的とするキャリッジ１８の動作を廃止できる。また、キャリッジ１８を停止させることなく出力電圧ＶＰＷを取得するので、印刷スループットの低下を招かない。また、基準反射面７５の配置レイアウトの自由度が高まるので、基準反射面７５及びカバーユニット８０を支持台３８の端部より移動方向Ｘの内側にレイアウトすることで、プリンター１１の小型化を図ることも可能になる。
【０１０２】
なお、上記実施形態は以下のような形態に変更することもできる。
・前記第１実施形態のようにキャリッジ１８の移動経路の端部に相当する位置に配置されたカバーユニットを、前記第２実施形態のような電動式のカバーユニットとしてもよい。この場合、前記第２実施形態のように、キャリッジ１８が設定位置に移動したことを検出すると、カバー部の開動作を行う構成を採用できる。また、例えば図１８に示すように、キャリッジ１８が設定位置に到達したことを検出するための移動式のロッド１０１と、ロッド１０１の移動によりオン・オフが切り換わるスイッチ１０２とをキャリッジ１８に設ける。キャリッジ１８が設定位置にないときにはロッド１０１がばね（図示せず）の付勢力により突出位置に位置してスイッチ１０２はオフした状態にあり、キャリッジ１８が設定位置に到達する手前でロッド１０１が壁部１０３の当接面１０３ａに当たって押し込まれてスイッチ１０２がオンする。スイッチ１０２のオン信号はキャリッジ１８から不図示のフレキシブルケーブル内の信号線を通じてＣＰＵ５１に出力される。ＣＰＵ５１はスイッチ１０２のオン信号を入力すると、電動モーター９７を駆動させ、カバー９３を閉位置から開位置へ移動させる。そして、出力電圧ＶＰＷを取得すると、ＣＰＵ５１は電動モーター９７を駆動してカバー９３を開位置から閉位置へ移動させる。
【０１０３】
・検出部による端部位置の検出は、出力電圧Ｖｏ（第１出力値）と閾値ＶＳとの比較に基づく構成に限定されない。例えば図１２（ａ）において溝部を検出した出力電圧ＶＨと用紙を検出した出力電圧ＶＰとの間で出力電圧が急な傾きで変化する傾き領域において出力電圧Ｖｏの点群が直線状に並ぶ部分を直線近似した近似直線と、複数点の出力電圧ＶＨを直線近似した近似直線との交点の位置を端部検出位置として求めてもよい。このように端部検出位置は、第１出力電圧に基づいて検出されればよく、閾値の使用は必須でない。
【０１０４】
・閾値ＶＳ＝ａ・ＶＨの設定により、紙幅センサー４８の劣化の程度に応じて閾値を変化させているため、その劣化の程度の違いによらず端部検出位置Ｘｄと実際の端部位置との位置ずれ量が許容誤差内に収まる場合は、補正量を一定値としてもよい。また、閾値の設定方法は適宜変更でき、例えば特許文献２、３に記載のように、支持台のリブと溝部とを光学式センサーにより検出した各々の出力電圧の比に応じた閾値を設定してもよい。
【０１０５】
・カバーユニット８０で覆われた基準反射面７５の位置は、移動方向Ｘにおいて液体噴射領域ＰＡの外側となる例えばホーム位置側でもよい。この構成でも、基準反射面７５はカバーで覆われているので、基準面の汚染の心配はほとんどない。
【０１０６】
・印刷中にキャリッジ１８が通る位置の下方に基準反射面７５及びカバーユニットを配置した構成において、第１実施形態と同様のレバー方式を採用してもよい。例えば図１６に示すように、一対の上流側リブ７３の間に基準反射面７５及びカバーユニットを設けた構成においてレバー方式を採用できる。例えばレバー部は印刷中のキャリッジ１８と係合しないようにその移動経路の端部に設ける。キャリッジ１８がレバー部を一度押し込むと、レバー部はその押し込み位置でロックされ、カバー部は開位置に保持される。その後、キャリッジ１８がレバー部を押すと、ロックが解除され、キャリッジ１８がレバー部から離れると、カバーユニットにおけるカバー部がばねの付勢力で閉じる構成とする。
【０１０７】
・電動式のカバーユニットを採用する場合、動力源はソレノイド、電動シリンダー等を用いてもよい。また、自動開閉式のカバーユニットは電動式に限定されず、例えば動力源としてエアシリンダーや油圧シリンダーを採用してもよい。
【０１０８】
・基準反射面及びカバーユニットの配置位置は、液体噴射領域ＰＡ以外の位置に限定されない。例えば支持台３８における液体噴射領域ＰＡ内に一部又は全部が位置するように基準反射面及びカバーユニットを配置してもよい。
【０１０９】
・基準反射面は支持台に一体形成されるなど支持台と固定された構成に限定されず、支持台に設けられたカバーが開くとその下側奥からキャリッジに接近する方向へ上昇する構成でもよい。さらに基準反射面は、紙幅センサーが用紙等の媒体と対向する方向に対向しうる位置に配置されることに限定されない。例えばキャリッジ１８に紙幅センサーを角度変更可能に設け、支持台以外の位置、例えばプリンターの本体フレームの側壁面上に鉛直面となる基準反射面を設け、これをカバーユニットで覆ってもよい。この場合、カバー部を開位置に移動させた状態で紙幅センサーの向きを変更して基準反射面からの反射光を受光した受光部の出力電圧ＶＰＷを取得すればよい。
【０１１０】
・感度設定処理の実施時期は、電源投入時などに限定されず、印刷中であってもよい。例えば、印刷する頁が切り替わる給排紙時や、液体噴射ヘッドのノズルをメンテナンスするためにキャリッジを移動経路の端部に移動させて廃液部にインクを噴射するフラッシング時に感度設定処理を行ってもよい。また、電源遮断時の終了処理の中で感度設定処理を行ってもよい。さらに累積印刷時間が設定時間に達する度に感度設定処理を行ってもよい。
【０１１１】
・媒体の幅方向の端部位置を検出する光学式センサーは、紙幅の取得や、液体噴射ヘッド１９の移動方向Ｘ（主走査方向）における噴射開始位置（印刷開始位置）の決定を目的とする紙幅センサーに限定されない。例えば、単に媒体の幅方向における端部位置の取得を目的としてもよい。また、媒体のスキュー（斜行）の検出を目的としてもよい。さらに光学式センサーは、媒体の搬送方向の端部の検出を目的とするものであってもよい。この場合、キャリッジを媒体の搬送前の搬送エリア内に配置し、その後、媒体をキャリッジの下方を通過するように搬送することで、光学式センサーにより媒体の搬送方向の端部を検出する。
【０１１２】
・紙幅センサー４８の検出回路は、受光部５９の受光量が多いときに出力電圧Ｖｏが小さくなり、受光量が少ないときに出力電圧Ｖｏが大きくなる回路構成であったが、これとは逆に、受光部５９の受光量が多いときに出力電圧Ｖｏが大きくなり、受光量が少ないときに出力電圧Ｖｏが小さくなる回路構成を採用してもよい。
【０１１３】
・図３における制御部５０（コンピューター）内の各機能部を、プログラムを実行するＣＰＵにより主にソフトウェアで実現したが、例えば集積回路により各機能部をハードウェアで実現したり、ソフトウェアとハードウェアとの協働により実現したりしてもよい。
【０１１４】
・液体噴射装置の一例であるプリンターは、ラテラル式プリンターでもよい。要するにキャリッジを備えたプリンターであればよい。また、液体噴射装置は、プリンター機能の他にスキャナー機能及びコピー機能などを含む複数機能を備えた複合機でもよい。
【０１１５】
・媒体は用紙に限定されず、樹脂製のフィルム、金属箔、金属フィルム、樹脂と金属の複合体フィルム（ラミネートフィルム）、織物、不織布、セラミックシートなどであってもよい。さらに媒体の形状はシート状に限定されず立体形状でもよい。
【０１１６】
・前記実施形態では、液体噴射装置の１つであるインクジェット式プリンターに具体化したが、液体噴射装置に適用する場合、プリンターに限定されない。例えばインク以外の他の液体や、機能材料の粒子が液体に分散又は混合されてなる液状体、ゲルのような流状体を含む）を噴射したり吐出したりする液体噴射装置に具体化することもできる。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射する液体噴射装置でもよい。また、バイオチップ製造に用いられる生体有機物を噴射する液体噴射装置、精密ピペットとして用いられ試料となる液体を噴射する液体噴射装置であってもよい。さらに、光通信素子等に用いられる微小半球レンズ（光学レンズ）などを形成するために熱硬化樹脂等の透明樹脂液を基板上に噴射する液体噴射装置、基板などをエッチングするために酸又はアルカリ等のエッチング液を噴射する液体噴射装置、ゲル（例えば物理ゲル）などの流状体を噴射する流状体噴射装置であってもよい。そして、これらのうちいずれか一種の流体噴射装置に本発明を適用することができる。このように媒体（記録媒体）は、素子や配線等がインクジェットで形成される基板でもよい。液体噴射装置が噴射する「液体」には、液体（無機溶剤、有機溶剤、溶液、液状樹脂、液状金属（金属融液）等を含む）、液状体、流状体などが含まれる。
【０１１７】
・本明細書における「測定感度」とは、必ずしも感度そのものを示す物理量である必要はなく、感度が許容限界に達したことを間接的に判定しうる、光学式センサーの感度を反映する数値（パラメーター）でもよい。例えば出力電圧ＶＨとＶＰＷの差に替え、比（＝ＶＨ／ＶＰＷ）を測定感度としてもよい。また、特許文献２、３に記載のように、支持台のリブと溝部とを光学式センサーにより検出した各々の出力電圧の比を、測定感度としてもよい。この場合、リブの１つを他のリブより低くした台部とし、図１６に示すように構成すればよい。
【符号の説明】
【０１１８】
１１…液体噴射装置の一例であるプリンター、１８…キャリッジ、１９…液体噴射ヘッド、２３…電源スイッチ、３５…キャリッジモーター、３８…支持部の一例である支持台、３９…リニアエンコーダー、４１…搬送モーター、４８…光学式センサーの一例である紙幅センサー、５０…制御部、５１…ＣＰＵ、５２…ＲＯＭ、５３…ＲＡＭ、５４…不揮発性メモリー、５８…発光部、５９…受光部、６０…感度設定回路、６１…検出部の一例としての端部検出処理部、６２…感度設定部の一例としての感度設定処理部、７１…上流側支持面、７１ａ…溝部、７３…上流側リブ、７６…台部、８０…カバーユニット、８２…カバー部、８３…被係合部の一例としてのレバー部、８４…スライダー、８８…付勢部の一例としてのコイルばね、９０…カバーユニット、９３…カバー部の一例であるカバー、９７…動力源の一例である電動モーター、Ｘ…移動方向、Ｙ…搬送方向、ＰＡ…液体噴射領域、ＲＬ…反射光、ＶＳ，ＶＳ１，ＶＳ２…閾値、ＶＨ…第３出力値の一例としての出力電圧、ＶＰＷ…第１出力値の一例としての出力電圧（基準面電圧）、Ｖｏ…第２出力値の一例としての出力電圧、ｂ…設定値、Ｘｄ…端部検出位置、Ｘｅ…端部位置、ｘ…位置（センサー位置）、Ｐ…媒体の一例である用紙。
【図１】
0005929295.tif 000002
【図２】
0005929295.tif 000003
【図３】
0005929295.tif 000004
【図４】
0005929295.tif 000005
【図５】
0005929295.tif 000006
【図６】
0005929295.tif 000007
【図７】
0005929295.tif 000008
【図８】
0005929295.tif 000009
【図９】
0005929295.tif 000010
【図１０】
0005929295.tif 000011
【図１１】
0005929295.tif 000012
【図１２】
0005929295.tif 000013
【図１３】
0005929295.tif 000014
【図１４】
0005929295.tif 000015
【図１５】
0005929295.tif 000016
【図１６】
0005929295.tif 000017
【図１７】
0005929295.tif 000018
【図１８】
0005929295.tif 000019